(57)【要約】【課題】画像品位を向上させることができるランプ及びその駆動方法、バックライトアセンブリ並びに液晶表示装置を得る。【解決手段】本発明のランプは、ガラス管と、ガラス管の両側内部に形成された第１および第２電極と、ガラス管の両側外部に形成された第３および第４電極とを含む。第１および第２電極に、相違する極性の電圧レベルを有する第１および第２電圧が供給され、第３および第４電極に、相違する極性の電圧レベルを有する第３および第４電圧が供給される。よって、ランプの第１および第２電極だけでなく、前記第１および第３電極の間、そして前記第２および第４電極の間の範囲にわたって光が発生するので、ランプのエッジ部で暗くなる現象を防止して、画像品位を向上させることができる。【選択図】図３
2007012587.tif 000002
【特許請求の範囲】
【請求項１】
ガスを含んだガラス管と、
前記ガラス管の第１および第２端部に隣接し、前記ガラス管に配置された第１および第２電極と、
前記ガラス管の前記第１および第２端部に配置された第３および第４電極と
を含み、前記ガラス管の第１領域が前記第１および第２電極の間に形成され、前記ガラス管の第２領域が前記第１および第３電極の間に形成され、前記ガラス管の第３領域が前記第２および第４電極の間に形成されることを特徴とするランプ。
【請求項２】
前記第１、第２、第３および第４電極それぞれに電気的に連結された第１、第２、第３および第４電源端子をさらに含むことを特徴とする請求項１に記載のランプ。
【請求項３】
前記第１および第２電源端子は、前記第３および第４電極を貫通して、前記第１および第２電極に連結されることを特徴とする請求項２に記載のランプ。
【請求項４】
前記第１電源端子と前記第３電極の間に連結された第１絶縁コネクタと、
前記第２電源端子と前記第４電極の間に連結された第２絶縁コネクタと
をさらに含むことを特徴とする請求項２に記載のランプ。
【請求項５】
前記第１および第３電源端子は、前記ガラス管の前記第１端部から延長され、前記第２および第４電源端子は、前記ガラス管の第２端部から延長されることを特徴とする請求項２に記載のランプ。
【請求項６】
前記第３および第４電極は、金属テープを用いて、前記ガラス管の第１および第２端部にそれぞれ形成されることを特徴とする請求項１に記載のランプ。
【請求項７】
前記第３および第４電極は、金属物質をメッキして、前記ガラス管の前記第１および第２端部にそれぞれ形成されることを特徴とする請求項１に記載のランプ。
【請求項８】
前記第３および第４電極は、前記ガラス管の前記第１および第２端部の全体内部面からそれぞれ延長されることを特徴とする請求項１に記載のランプ。
【請求項９】
ガスを含んだガラス管と、前記ガラス管の第１および第２端部に隣接して、前記ガラス管に配置された第１および第２電極と、前記ガラス管の前記第１および第２端部に配置された第３および第４電極とを含み、前記ガラス管の第１領域が前記第１および第２電極の間に形成され、前記ガラス管の第２領域が前記第１および第３電極の間に形成され、前記ガラス管の第３領域が前記第２および第４電極の間に形成されたランプの駆動方法において、
前記第１乃至第４電極に第１乃至第４電圧をそれぞれ供給する段階と、
前記第１乃至第４電圧により、前記第１乃至第３領域で光を発生する段階と
を含むことを特徴とするランプの駆動方法。
【請求項１０】
前記第１および第２電圧は、相違する極性を有することを特徴とする請求項９に記載のランプの駆動方法。
【請求項１１】
前記第３および第４電圧は、相違する極性を有することを特徴とする請求項９に記載のランプの駆動方法。
【請求項１２】
前記第１および第３電圧は、相違する極性を有することを特徴とする請求項９に記載のランプの駆動方法。
【請求項１３】
前記第２および第４電圧は、相違する極性を有することを特徴とする請求項９に記載のランプの駆動方法。
【請求項１４】
前記第１および第４電圧は、同一極性を有することを特徴とする請求項９に記載のランプの駆動方法。
【請求項１５】
前記第２および第３電圧は、同一極性を有することを特徴とする請求項９に記載のランプの駆動方法。
【請求項１６】
ケースと、
ガスを含んだガラス管と、前記ガラス管の第１および第２端部に隣接して、前記ガラス管に配置された第１および第２電極と、前記ガラス管の前記第１および第２端部に配置された第３および第４電極とを含み、前記ガラス管の第１領域が前記第１および第２電極の間に形成され、前記ガラス管の第２領域が前記第１および第３電極の間に形成され、前記ガラス管の第３領域が前記第２および第４電極の間に形成された複数のランプと、
前記ケースと前記ランプの間に配置された反射板と、
前記反射板に対して前記ランプの反対側に配置された光学部材と
を含むことを特徴とするバックライトアセンブリ。
【請求項１７】
前記光学部材は、少なくとも一つ以上の光学シートを含むことを特徴とする請求項１６に記載のバックライトアセンブリ。
【請求項１８】
前記各ランプは、前記第１、第２、第３および第４電極それぞれに電気的に連結された第１、第２、第３および第４電源端子をさらに含むことを特徴とする請求項１６に記載のバックライトアセンブリ。
【請求項１９】
前記第１および第２電源端子は、前記第３および第４電極から絶縁され、かつ前記第３および第４電極を貫通して、前記第１および第２電極に連結されると共に、
前記第１電源端子と前記第３電極の間に連結された第１絶縁コネクタと、前記第２電源端子と前記第４電極の間に連結された第２絶縁コネクタとをさらに含むことを特徴とする請求項１８に記載のバックライトアセンブリ。
【請求項２０】
前記第３および第４電極は、金属テープを用いて、前記ガラス管の前記第１および第２端部にそれぞれ形成されることを特徴とする請求項１８に記載のバックライトアセンブリ。
【請求項２１】
前記第３および第４電極は、金属物質をメッキして、前記ガラス管の前記第１および第２端部にそれぞれ形成されることを特徴とする請求項１８に記載のバックライトアセンブリ。
【請求項２２】
前記第３および第４電極は、前記ガラス管の前記第１および第２端部の全体内部面からそれぞれ延長されることを特徴とする請求項１８に記載のバックライトアセンブリ。
【請求項２３】
第１ケースと、
前記第１ケースと結合した第２ケースと、
前記第１および第２ケースの間に配置されたバックライトアセンブリと、
前記バックライトアセンブリと前記第２ケースの間に配置された液晶パネルと
を含み、
前記バックライトアセンブリは、
ガスを含んだガラス管と、前記ガラス管の第１および第２端部に隣接して、前記ガラス管に配置された第１および第２電極と、前記ガラス管の前記第１および第２端部に配置された第３および第４電極とを含み、前記ガラス管の第１領域が前記第１および第２電極の間に形成され、前記ガラス管の第２領域が前記第１および第３電極の間に形成され、前記ガラス管の第３領域が前記第２および第４電極の間に形成された複数のランプと、
前記ケースと前記ランプの間に配置された反射板と、
前記反射板に対して前記ランプの反対側に配置された光学部材と
を含むことを特徴とする液晶表示装置。
【請求項２４】
前記複数のランプは、それぞれ、
前記第１および第２電極に電気的に連結された第１および第２電源端子と、
前記第３および第４電極に電気的に連結された第３および第４電源端子と
をさらに含むことを特徴とする請求項２３に記載の液晶表示装置。
【請求項２５】
前記第１および第２電源端子は、前記第３および第４電極から絶縁され、かつ前記第３および第４電極を貫通して、前記第１および第２電極に連結されると共に、
前記第１電源端子と前記第３電極の間に連結された第１絶縁コネクタと、前記第２電源端子と前記第４電極の間に連結された第２絶縁コネクタとをさらに含むことを特徴とする請求項２３に記載の液晶表示装置。
【請求項２６】
前記第３および第４電極は、金属テープを用いて、前記ガラス管の前記第１および第２端部にそれぞれ形成されることを特徴とする請求項２３に記載の液晶表示装置。
【請求項２７】
前記第３および第４電極は、金属物質をメッキして、前記ガラス管の前記第１および第２端部にそれぞれ形成されることを特徴とする請求項２３に記載の液晶表示装置。
【請求項２８】
前記第３および第４電極は、前記ガラス管の前記第１および第２端部の全体内部面からそれぞれ延長されることを特徴とする請求項２３に記載の液晶表示装置。
【発明の詳細な説明】
【技術分野】
【０００１】
本発明は、光源に関し、特に、ランプ及びその駆動方法、バックライトアセンブリ並びに液晶表示装置に関する。
【背景技術】
【０００２】
ＣＲＴは、テレビジョンを始め、計測機器、情報端末機器などのモニタに主に用いられているが、ＣＲＴの重量と大きさの問題から、電子製品の小型化、軽量化のニーズに積極的に対応できなかった。このため、ＣＲＴは、各種電子製品の小型、軽量化の趨勢において、重量や大きさで限界を持つことになる。現在、このようなＣＲＴを代替すると予想される表示装置の研究が活発に行われている。前記表示装置としては、液晶表示装置(ＬＣＤ：Liquid Crystal Display Device)、プラズマ表示素子(ＰＤＰ：Plasma Display Panel)およびＥＬ表示素子(ＥＬＤ：Electro Luminescence Display)などがある。
【０００３】
前記液晶表示装置は、小型、軽量化および低消費電力などの長所を有するので、ラップトップコンピュータのモニタだけでなく、デスクトップコンピュータのモニタおよび大画面表示装置などに適用されており、今後、液晶表示装置の需要はますます急激に増加すると予想されている。
【０００４】
前記液晶表示装置は、外部から入る光源の量を調節して画像を表示する受光性装置である。したがって、前記液晶表示装置は、液晶パネルに光を照射するための別途の光源、すなわち、バックライトアセンブリを必ず必要とする。前記バックライトアセンブリは、ランプユニットが設けられる位置によって、エッジ型(edge type)と直下型(direct type)とに分けられる。
【０００５】
なお、前記バックライトアセンブリに備えられた蛍光ランプは、電極の位置によって、電極が蛍光ランプの内部に位置する冷陰極蛍光ランプ(ＣＣＦＬ：Cold Cathode Fluorescent Lamp)と電極が蛍光ランプの外部に位置する外部電極蛍光ランプ(ＥＥＦＬ：External Electrode Fluorescence Lamp)とに分けられる。
【０００６】
図１は、従来のバックライトアセンブリを図示した分解斜視図である。図１に図示されたように、従来のバックライトアセンブリは、光を発生する複数のランプ２０と、前記ランプ２０の下部に備えられ、下部に進行された前記光を反射する反射板４０と、前記ランプ２０の上部に備えられ、前記光を拡散および集光させる光学シート類１０と、前記反射板４０が付着され、前記ランプを固定するための下部ケース５０とを含む。この従来のバックライトアセンブリは直下型である。
【０００７】
前記ランプ２０は、ガラス管２１と、前記ガラス管２１の内部に位置した内部電極２２、２３と、前記内部電極２２、２３と連結され外部に露出された電源端子２４、２５とを含む。前記ランプ２０は冷陰極蛍光ランプである。
【０００８】
前記光学シート類１０は、光を拡散させる拡散シート、拡散した光を集光させるプリズムシート、前記拡散シートと集光シートを保護する保護シートなどを含む。
【０００９】
なお、図示されてはいないが、前記バックライトアセンブリの上部に備えられ、映像をディスプレイする液晶パネルと、前記液晶パネルを固定するパネルガイドと、前記液晶パネルを保護するトップケースとを含んで液晶表示装置が構成される。
【００１０】
インバータ(図示せず)から供給される所定の電圧は、前記電源端子２４、２５を経由して、前記電源端子に連結された前記内部電極２２、２３に供給される。前記内部電極に供給された電圧により、前記ランプ２０から所定の光が発生する。前記ランプ２０から発生する光は、前記光学シート類１０を通じて拡散および集光し、前記液晶パネルに投射される。
【００１１】
図２は、図１の冷陰極蛍光ランプ(ＣＣＦＬ)を図示した図面である。図２に図示されたように、冷陰極蛍光ランプは、ガラス管２１と、前記ガラス管２１の両側内部に形成された内部電極２２、２３と、前記内部電極２２、２３と連結された電源端子２４、２５とを含む。前記内部電極２２、２３は、前記ガラス管２１の端部から内部へ所定距離の地点に位置する。
【００１２】
前記ガラス管２１は、その内壁面に塗布された蛍光物質３１と、前記ガラス管２１の内部空間に充填され密封された水銀、アルゴン、ネオンなどの混合ガス３０を含む。
前記電源端子２４、２５は、前記内部電極２２、２３に所定の電圧を供給するために、前記内部電極に連結され、外部に露出されるように形成される。
【００１３】
前記電源端子２４、２５を通じて前記内部電極２２、２３に所定の電圧が供給され、電場が発生し、これによって陰極の内部電極２２から放出された電子が陽極の内部電極２３へと移動しながら、混合ガス３０と衝突する。前記電子と混合ガス３０が衝突して紫外線が発生し、前記紫外線が蛍光物質３１を刺激して、所定の光を発生させる。
【００１４】
しかしながら、このような従来のバックライトアセンブリでは、前記内部電極２２、２３が前記ガラス管２１の端部から所定距離離隔して位置するので、前記内部電極２２、２３の間だけで光が発生し、前記内部電極２２、２３から前記ガラス管２１の端部の間では光が発生しなくなる。すなわち、前記内部電極２２、２３の間だけで、内部電極２２から発生した電子が移動し、このような移動中の電子が混合ガスとの衝突により紫外線を発生して、光が生成できるようになる。
【００１５】
しかし、前記内部電極２２、２３から前記ガラス管２１の端部の間では、電子の移動が行われなくなって、結局、電子と混合ガスとの衝突が発生しなくなり、光が生成されない。すなわち、前記内部電極２２、２３の間には、光が発生する発光領域が形成され、前記内部電極２２、２３から前記ガラス管２１の間には、光が発生しない非発光領域Ａ、Ａ′が形成される。特に、このような非発光領域Ａ、Ａ′は、光が発生しないことにより暗くなる現象が発生し、画像品位を低下させる問題をもたらす。
【発明の開示】
【発明が解決しようとする課題】
【００１６】
本発明の目的は、ランプの外部に別途の電極を形成することにより、暗くなる現象を防止することができるランプ及びその駆動方法、バックライトアセンブリ並びに液晶表示装置を提供することにある。
【課題を解決するための手段】
【００１７】
本発明のランプは、ガラス管と、前記ガラス管の両側内部に形成された第１および第２電極と、前記ガラス間の両側外部に形成された第３および第４電極とを含む。
【００１８】
また、本発明のランプの駆動方法は、前記第１乃至第４電極にそれぞれ第１乃至第４電圧を供給する段階と、前記第１および第２電圧による前記第１および第２電極の間、前記第１および第３電圧による前記第１および第３電極の間、そして前記第２および第４電圧による第２および第４電極の間の範囲を有する前記ガラス管から光を発生する段階とを含む。
【００１９】
また、本発明のバックライトアセンブリは、ガラス管の両側内部に形成された第１および第２電極と前記ガラス間の両側外部に形成された第３および第４電極を有する複数のランプと、前記ランプの下部に備えられ、前記ランプから発生した光を反射する反射板と、前記ランプの上部に備えられ、前記ランプから発生した光を制御する光学部材とを含む。
【００２０】
さらに、本発明の液晶表示装置は、第１ケースと、前記第１ケース上に配置されたバックライトアセンブリと、前記バックライトアセンブリ上に配置された液晶パネルと、前記第１ケースと結合された第２ケースとを含み、前記バックライトアセンブリは、ガラス管の両側内部に形成された第１および第２電極と前記ガラス管の両側外部に形成された第３および第４電極を有する複数のランプと、前記ランプの下部に備えられ、前記ランプから発生した光を反射する反射板と、前記ランプの上部に備えられ、前記ランプから発生した光を制御する光学部材とを含む。
【発明の効果】
【００２１】
本発明は、冷陰極蛍光ランプの外部に追加として外部電極を形成して、内部電極と相違する極性を有する電圧レベルを前記外部電極に供給することにより、冷陰極蛍光ランプの全領域で光が発生するようにして、ランプのエッジ部が暗くなる現象を防止し、画像品位を向上させる効果がある。
【発明を実施するための最良の形態】
【００２２】
以下、添付の図面を参照して本発明の実施の形態を詳細に説明する。
図３は、本発明によるバックライトアセンブリを図示した分解斜視図である。図３に図示されたように、本発明のバックライトアセンブリは、光を発生する複数のランプ１２０(例えば、ＣＣＦＬ)と、前記ランプ１２０の下部に備えられ、下部に進行された前記光を反射する反射板１４０と、前記ランプ１２０の上部に備えられ、光を拡散および集光させる光学シート類１１０と、前記反射板１４０が付着され、前記ランプを固定するための下部ケース１５０とを含む。
【００２３】
前記光学シート類１１０は、光を拡散させる拡散シート、前記拡散した光を集光させるプリズムシート、前記拡散シートおよび集光シートを保護する保護シートを含む。
【００２４】
図４は、図３の冷陰極蛍光ランプを図示した図面である。図４に図示されたように、冷陰極蛍光ランプは、ガラス管１２１と、前記ガラス管１２１の両側外部に形成された第１および第２外部電極１２４、１２５と、前記第１および第２外部電極１２４、１２５に連結された第１および第２電源端子１２６、１２７と、前記ガラス管１２１の両側内部に形成された第１および第２内部電極１２２、１２３と、前記第１および第２内部電極１２２、１２３に連結された第３および第４電源端子１２８、１２９とを含む。前記ガラス管１２１の内壁面には蛍光物質１３１が塗布されており、前記ガラス管１２１の内部空間には、水銀、アルゴン、ネオンなどの混合ガス１３０が充填され密封されている。
【００２５】
前記第１および第２外部電極１２４、１２５を前記ガラス管１２１の外部に形成する方法には、銅やアルミニウムなどの金属テープを付着するテーピング方法、またはガラス管１２１の両端部を金属またはほかの導電性物質でメッキする金属メッキ方法などがある。
【００２６】
前記第１および第２内部電極１２２、１２３は、前記ガラス管１２１の両側端部から所定距離離隔して位置し、前記第１および第２内部電極１２２、１２３に連結された第３および第４電源端子１２８、１２９は、前記第１および第２内部電極１２２、１２３から前記ガラス管１２１の両側端部を通して、所定距離外部に露出されて形成される。よって、前記第３および第４電源端子１２８、１２９は、前記ガラス管１２１の内部に位置した第１および第２内部電極１２２、１２３から外部まで延長形成される。
【００２７】
前記ガラス管１２１、前記第１および第２内部電極１２２、１２３、前記第３および第４電源端子１２８、１２９により、既存の冷陰極蛍光ランプが構成される。
【００２８】
本発明では、このような既存の冷陰極蛍光ランプにおいて、前記冷陰極蛍光ランプの両側外部に、第１および第２外部電極１２４、１２５がさらに別途形成される。
【００２９】
前記第１内部電極１２２に(−)電圧レベルを有する第１電圧が供給され、第２内部電極１２３に(＋)電圧レベルを有する第２電圧が供給され、前記第１外部電極１２４に(＋)電圧レベルを有する第３電圧が供給され、前記第２外部電極１２５に(−)電圧レベルを有する第４電圧が供給される。前記第１電圧と前記第４電圧、そして、前記第２電圧と前記第３電圧は、同一極性の電圧レベルを有する。反対に、前記第１および第２電圧、前記第３および第４電圧、前記第１電圧および第３電圧、そして、前記第２および第４電圧は、相違する極性の電圧レベルを有する。前記第１電圧および前記第４電圧の大きさは、同一である可能性も、異なる可能性もある。また、前記第２電圧および前記第３電圧の大きさは、同一である可能性も、異なる可能性もある。
【００３０】
一方、前記第３および第４電源端子１２８、１２９は、前記第１および第２外部電極１２４、１２５を貫通して、前記第１および第２内部電極１２２、１２３に連結される。このような場合、前記第３および第４電源端子１２８、１２９と前記第１および第２外部電極１２４、１２５とは電気的にショートするおそれがある。
【００３１】
このような電気的ショートを防止するために、前記第１および第２外部電極１２４、１２５と前記第３および第４電源端子１２８、１２９との間には、絶縁コネクタ１３２、１３３が備えられている。前記絶縁コネクタ１３２、１３３は、前記第１および第２外部電極１２４、１２５に貫通形成され、前記絶縁コネクタ１３２、１３３を介して、前記第３および第４電源端子１２８、１２９が前記第１および第２内部電極１２２、１２３に電気的に連結される。このとき、前記絶縁コネクタ１３２、１３３と前記第１および第２外部電極１２４、１２５との間、そして、前記絶縁コネクタ１３２、１３３と前記第３および第４電源端子１２８、１２９との間は、前記ガラス管１２１の内部と外部間の流通を遮断するために、密封処理される。
【００３２】
なお、図示されてはいないが、前記バックライトアセンブリの上部に備えられて映像をディスプレイする液晶パネルと、前記液晶パネルを固定するパネルガイドと、前記液晶パネルを保護するトップケースとを含む液晶表示装置が構成される。
【００３３】
前記のような冷陰極蛍光ランプにおいて、第１および第２電源端子１２６、１２７を経由して、第１および第２外部電極１２４、１２５に第１電圧が供給され、第３および第４電源端子１２８、１２９を経由して、第１および第２内部電極１２２、１２３に第２電圧が供給される。このような場合、前記第１外部電極１２４には(＋)電圧レベルを有する第３電圧が供給され、前記第２外部電極１２５には(−)電圧レベルを有する第４電圧が供給され、前記第１内部電極１２２には(−)電圧レベルを有する第１電圧が供給され、前記第２内部電極１２３には(＋)電圧レベルを有する第２電圧が供給される。
【００３４】
したがって、前記第１内部電極１２２から電子が放出され、放出された電子は、前記第２内部電極１２３に供給された(＋)電圧レベルを有する第２電圧により、前記第２内部電極１２３に移動される。電子が移動中のとき、前記電子と前記ガラス管１２１内部に充填された混合ガスとが衝突して紫外線が発生し、この紫外線が前記ガラス管１２１の内壁面に塗布された蛍光物質を励起させて、所定の光を発生する。よって、前記第１および第２内部電極１２２、１２３の間のガラス管を通じて光が発生する。
【００３５】
なお、前記第１内部電極１２２から放出された電子は、前記第１外部電極１２４に供給された(＋)電圧レベルを有する第３電圧により、前記第１外部電極１２４に移動する。したがって、前記第１内部電極１２２と前記第１外部電極１２４との間のガラス管を通じて光が発生する。同様に、前記第２外部電極１２５には(−)電圧レベルが供給されるので、前記第２外部電極１２５から電子が放出される。前記第２外部電極１２５から放出された電子は、(＋)電圧レベルを有する第２電圧が供給された第２内部電極１２３に移動する。よって、前記第２外部電極１２５と前記第２内部電極１２３間のガラス管を通じて光が発生する。
【００３６】
結局、前記第１外部電極１２４と前記第１内部電極と１２２の間、前記第１および第２内部電極１２２、１２３の間、そして、前記第２内部電極１２３と前記第２外部電極１２５の間にわたって、全てのガラス管で光が発生する。
【００３７】
よって、従来に第１および第２内部電極１２２、１２３の間だけで光が発して、ガラス管のエッジ部で発生した暗くなる現象を防止することができる。これによって、本発明のバックライトアセンブリは、冷陰極蛍光ランプの両端間の全ての領域で光が発生するので、エッジ部の暗くなる現象による画質低下を防止することができる。
【００３８】
図５は、図３の冷陰極蛍光ランプで光が発生する原理を説明するための図面である。図５に図示されたように、前記第１外部電極１２４には(＋)電圧レベルを有する第３電圧が供給され、前記第２外部電極１２５には(−)電圧レベルを有する第４電圧が供給され、前記第１内部電極１２２には(−)電圧レベルを有する第１電圧が供給され、前記第２内部電極１２３には(＋)電圧レベルを有する第２電圧が供給される。したがって、前記第１および第２内部電極１２２、１２３と前記第１および第２外部電極１２４、１２５は、互いに相違する極性の電圧レベルを有する。
【００３９】
(−)電圧レベルを有する第１および第４電圧が供給された第１内部電極１２２と第２外部電極１２５から、それぞれ電子１３４が放出される。前記第１内部電極１２２から放出された電子１３４は、(＋)電圧レベルを有する第２および第３電圧が供給された第２内部電極１２３と第１外部電極１２４へと移動する。前記第２内部電極１２３に向かって移動中の電子は、混合ガス１３０と衝突して紫外線を発生し、前記発生した紫外線が蛍光物質１３１を励起させて光を発生する。したがって、前記第１および第２内部電極１２２、１２３の間で光が発生する。なお、前記第１外部電極１２４に向かって移動中の電子も混合ガス１３０と衝突して、紫外線を発生し、前記発生した紫外線が蛍光物質１３１を励起させて、光を発生する。よって、前記第１内部電極１２２と前記第１外部電極１２４の間で光が発生する。
【００４０】
一方、前記第２外部電極１２５から放出された電子１３４は、(＋)電圧レベルを有する第２電圧が供給された第２内部電極１２３へと移動する。前記第２内部電極１２３に移動中の電子も混合ガス１３０と衝突して、紫外線を発生し、前記発生した紫外線が蛍光物質１３１を励起させて、光を発生する。よって、前記第２外部電極１２５と前記第２内部電極１２３の間で光が発生する。
【００４１】
図６は、図３のバックライトアセンブリを備えた液晶表示装置を図示した図面である。図６に図示されたように、前記液晶表示装置２００は、第１ケース２１０、前記第１ケース２１０上に配置されたバックライトアセンブリ２２０、前記バックライトアセンブリ２２０上に配置された液晶パネル２３０および前記第１ケース２１０に結合された第２ケースとを含む。他の構成要素がさらに追加できるが、発明を明確にするために省略した。例えば、液晶表示装置は、偏光板と配向フィルムを有するアクティブマトリックスまたは単純マトリックスでありうる。前記液晶表示装置２３０は、カラーフィルタ、ブラックマトリックスおよび共通電極を含むカラーフィルタ基板と、ゲートライン、データライン、トランジスタのようなスイッチおよび画素電極を含むアレイ基板と、この両基板の間に介在した液晶層とを備える。
【００４２】
他の実施の形態で、前記第１および第２外部電極は、前記ガラス管の端部の全てのまたは一部の領域をカバーするように形成される。このような場合、絶縁物質(絶縁コネクタ１３２、１３３または別の物質)は前記ガラス管の端部の外面に配置され、前記第１および第２電源端子１２６、１２７は前記絶縁物質を通して延長される。前記絶縁物質は、前記ガラス管のエッジをシーリングすることができ、前記第１および第２外部電極は、ガスにより接触された領域のみにおいて前記ガラス管の端部の内部面の方へ延長されることができる。または、前記第１および第２外部電極は、前記外部面をカバーする前記絶縁物質を有する前記ガラス管の端部の内部面の全領域において延長される。
【００４３】
よって、本発明では、冷陰極蛍光ランプの全領域で光が発生することにより、エッジ部が暗くなる現象を防止して、画像品位を向上させることができる。
【００４４】
本発明は、上記の実施の形態に限定されるものでなく、本発明に係る技術的思想から逸脱しない範囲内で様々な変更が可能であり、それらも本発明の技術的範囲に属する。
【図面の簡単な説明】
【００４５】
【図１】従来のバックライトアセンブリを図示した分解斜視図である。
【図２】図１の冷陰極蛍光ランプ(ＣＣＦＬ)を図示した図面である。
【図３】本発明によるバックライトアセンブリを図示した分解斜視図である。
【図４】図３の冷陰極蛍光ランプを図示した図面である。
【図５】図３の冷陰極蛍光ランプから光が発生する原理を説明するための図面である。
【図６】図３のバックライトアセンブリを備えた液晶表示装置を図示した図面である。
【符号の説明】
【００４６】
１１０：光学シート類      １２０：ランプ
１２１：ガラス管          １２２：第１内部電極
１２３：第２内部電極      １２４：第１外部電極
１２５：第２外部電極      １２６：第１電源端子
１２７：第２電源端子      １２８：第３電源端子
１２９：第４電源端子      １３０：混合ガス
１３１：蛍光物質          １３２、１３３：絶縁コネクタ
１４０：反射板            １５０：下部ケース
２００：液晶表示装置      ２１０：第１ケース
２２０：バックライトアセンブリ            ２３０：液晶パネル
２４０：第２ケース
【図１】
2007012587.tif 000003
【図２】
2007012587.tif 000004
【図３】
2007012587.tif 000005
【図４】
2007012587.tif 000006
【図５】
2007012587.tif 000007
【図６】
2007012587.tif 000008